(57)【要約】走査速度を調整する信号ＤＳを発生する処理ユニット１は、ビデオ信号を受信する入力と調整信号ＤＳを供給する出力とを有する。ユニット１は、コアリング回路Ｃ、微分器Ｄ及びリミッタＬから連続してなる直列接続を有している。表示装置１６は、陰極線管１０及び処理ユニット１を有している。
2006516074.tif 000002
【特許請求の範囲】
【請求項１】
走査速度を調整する信号を発生する処理ユニットであって、該処理ユニットは、ビデオ信号を受信する入力と該調整信号を供給する出力を有し、
該処理ユニットは、該入力から該出力に連続して、コアリング回路、微分器及びリミッタを有する、
ことを特徴とする処理ユニット。
【請求項２】
該コアリング回路は、アンチパラレルに結合された第一のダイオードと第二のダイオードとを含むダイオード回路を有し、該第一のダイオードのカソードは、該第二のダイオードのアノードに結合される、
ことを特徴とする請求項１記載の処理ユニット。
【請求項３】
該微分器は、該ダイオード回路と直列に結合される第一のキャパシタを有する、
ことを特徴とする請求項２記載の処理ユニット。
【請求項４】
該コアリング回路の出力に結合される正の入力を有する増幅器が存在する、
ことを特徴とする請求項３記載の処理ユニット。
【請求項５】
該増幅器は、該増幅器の負の入力に対応する制御端子、正の入力として第一のメイン端子、及び増幅器の出力として第二のメイン端子を有するトランジスタを有する、
ことを特徴とする請求項４記載の処理ユニット。
【請求項６】
該リミッタは、別のキャパシタと、第三のダイオードと第四のダイオードを含む別のダイオード回路からなる直列接続を有し、該直列接続は、第二の基準電圧源と該増幅器の出力との間に結合される、
ことを特徴とする請求項５記載の処理ユニット。
【請求項７】
該第三のダイオードと該第四のダイオードは、アンチパラレルに結合されたツェナーダイオードである、
請求項６記載の処理ユニット。
【請求項８】
走査速度を調整する信号を発生するための請求項１記載の処理ユニット、及び該ユニットの出力に結合される電子ビームの走査速度を調整するための手段を含む陰極線管を有する表示装置。
【請求項９】
該走査速度を調整するための手段を駆動するための駆動電流に該調整信号を変換するコンバータを有し、該コンバータは、該ユニットの出力に結合される入力、及び該走査速度を調整する手段に結合される出力を有する、
ことを特徴とする請求項８記載の表示装置。
【請求項１０】
走査速度を調整する信号を発生する方法であって、
該ビデオ信号は、
該ビデオ信号の振幅をコアリングするステップと、
微分するステップと、
制限するステップと、
からなる連続した処理に向けられる、
ことを特徴とする方法。
【発明の詳細な説明】
【技術分野】
【０００１】
本発明は、ビデオ信号を受信する入力と調整信号を供給する出力とを有する、走査速度調整信号を発生する処理ユニットに関し、また、本発明は、電子ビームの走査速度を調整する手段を有する陰極線管を有する表示装置、及び走査速度調整信号を発生する方法に関する。
【背景技術】
【０００２】
かかるユニットの実施の形態は、GB2064911により知られている。公知のユニットでは、ビデオ信号が識別され、次いで、コアリング及びリミッティングを実行する回路に供給される。調整信号が陰極線管の走査速度調整コイルに印加されたとき、得られたシャープネスの改善は、比較的大きな振幅をもつ雑音の存在のために最適ではない。公知の表示装置は、公知の処理ユニット及び陰極線管を含んでいる。調整信号を発生する公知の方法は、連続した微分、コアリング及び振幅のリミッティング処理にビデオ信号を向けるステップを含んでいる。比較的大きな振幅をもつ雑音は調整信号に存在することは、公知のユニットの問題点である。
【発明の開示】
【発明が解決しようとする課題】
【０００３】
本発明の目的は、雑音が大きな範囲に抑圧される変調信号を提供することにある。本発明は、独立の請求項により定義される。従属の請求項は、有利な実施の形態を定義する。
【課題を解決するための手段】
【０００４】
上記目的は、直列接続は、入力から出力に連続して、コアリング回路、微分器、及びリミッタを有する点で実現される。コアリング回路の閾値以下の振幅をもつビデオ信号に存在する高周波雑音成分は、コアリング回路においてビデオ信号から実質的に除去される。結果的に、これら除去されたコンポーネントは、その後の微分により強調されない。ビデオ信号を微分の前にコアリング回路に印加するとき、閾値よりも高い振幅をもつ低周波コンポーネントは、コアリング回路により除去されず、調整信号に存在したままである。公知のユニットでは、微分器は、閾値以下のレベルに最も低い周波数成分の振幅を低減し、したがって、後続するコアリング回路は、ビデオ信号からこれらの成分を実質的に除去する。結果的に、本発明に係る処理ユニットの更なる有利な点は、低周波成分が走査速度調整を提供するために調整信号に存在したままであることである。
【０００５】
コアリング回路は、アンチパラレルに結合される第一のダイオードと第二のダイオードを有するダイオード回路を有し、第一のダイオードのカソードは、第二のダイオードのアノードに結合される場合がある。ビデオ信号をこのダイオード回路を介して微分器に供給することで、非常に費用対効率の高いやり方で所望のコアリングが得られる。ダイオードの順方向の電圧は、コアリング回路の閾値を決定する。
【０００６】
微分器は、第一のキャパシタを有する場合があり、この第一のキャパシタは、ダイオード回路と直列に結合される。これは、微分器を実現する費用対効率の高いやり方である。さらに、コアリング回路及び微分器が直列に結合されるとき、コアリング回路は、閾値以下の振幅をもつ成分が微分器に到達するのを妨げる。
【０００７】
増幅器が、負の入力としての制御端子、正の入力としての第一のメイン端子、及び増幅器出力としての第二のメイン端子を有するトランジスタを含む場合には有利である。この増幅器は、低い入力インピーダンスを有し、この入力インピーダンスは、キャパシタを介して適切な微分を達成するために必要とされる。
【０００８】
リミッタは、別のキャパシタと、第三のダイオードと第四のダイオードをもつ別のダイオード回路との直列接続を有する場合があり、直列接続は、第二の基準電圧源と増幅器の出力との間に結合されている。ダイオードの順方向電圧は、リミッタの出力電圧である調整信号の最大振幅を決定する。
【０００９】
ダイオードがツェナーダイオードである場合に有利である。所望のリミッティング閾値は、所望の閾値に実質的に等しいツェナー電圧をもつツェナーダイオードを選択することで選択することができる。
【００１０】
走査速度を調整する手段のために、調整信号を駆動電流に変換するためにコンバータが存在する場合に有利であり、コンバータの入力は、ユニットの出力に結合され、コンバータの出力は、走査速度を調整する手段に結合される。コンバータは、たとえば、電圧である調整信号を調整信号に比例した電流に変換する。この電流は、通常は陰極線管に搭載されるコイルである、走査速度を調整する手段に供給される。コイルを通る電流は、陰極線管の電子ビームの偏向の速度に影響を与える。
本発明のこれらの態様及び他の態様は、添付図面を参照して明らかにされる。図面における等価な構成要素には、同じ参照符号が与えられている。
【発明を実施するための最良の形態】
【００１１】
図１における走査速度の調整信号を発生する従来技術の処理ユニット１は、微分器（differentiator）Ｄ、コアリング（coring）回路Ｃ及びリミッタ（limiter）Ｌをその順序で入力から出力に有している。ユニット１の入力でのビデオ信号ＶＳは、微分器Ｄにより微分され、次いで、微分されたビデオ信号における微小な振幅成分を除去するコアリング回路Ｃに印加される。そのステップ又は同時のステップとして、リミッタは、微分された信号の最大の振幅を制限し、ユニット１の出力で調整信号ＤＳを得る。微分の後、ビデオ信号ＶＳの低周波成分は、振幅に関して低減される。振幅がコアリング回路Ｃの閾値以下に低減される場合、次いでこれらの成分が除去される。結果的に、変調信号は、これら低周波成分について所望の走査速度の変調を発生しない。さらに、雑音の高周波成分は、ビデオ信号に存在しており、微分器Ｄにより増幅される。これにより、調整信号ＤＳにおいて望まれない大きな振幅の高周波雑音成分が生じる。
【００１２】
図２に示されるように、本発明に係るユニット１では、構成要素の順序が従来技術とは異なる。はじめに、ビデオ信号ＶＳは、コアリング回路Ｃに印加される。コアリング回路Ｃは、予め決定された閾値以下のビデオ信号ＶＳの小さい振幅成分を除去する。これらの成分は、これらの成分について走査速度調整を適用することがこれら振幅に関する誇張された補正となるため、除去されなければならない。同時に、その高周波成分を含む、ビデオ信号ＶＳに存在する雑音は、雑音の振幅が予め決定された閾値以下である限り抑圧される。ノイズスペクトルのかなりの部分は、ビデオ信号ＶＳの周波数スペクトルの上部に位置する。コアリング回路Ｃにおいてこれらの高周波雑音成分を除くことで、これら高周波成分が次のステージに通過されるのが回避される。第二に、コアリング回路Ｃから到来する信号は、微分器で増幅され、この微分器が高域通過フィルタに等価であり、調整信号ＤＳにおける大きな望まれない雑音成分を生じる。第三に、リミッタＬは、調整信号ＤＳの振幅を最大の振幅に制限し、適切な走査速度調整を提供する調整信号ＤＳが得られる。
【００１３】
図３のブロック図は、ビデオ信号ＶＳを受信する処理ユニット１を示している。ユニット１は、駆動信号ＤＳをコンバータ１４に供給する。コンバータ１４は、たとえば、陰極線管１０に搭載された走査速度の調整コイル１２である、走査速度を調整する手段に結合される。調整信号ＤＳが電圧波形である場合、コンバータ１４は、変調信号ＤＳをコイル１２に流れる電流に変換する。コイル１２を流れる電流は、電磁場を生成し、この電磁場は、陰極線管１０における偏向された電子ビームの速度を調整する。要求される場合、コンバータ１４は、調整信号ＤＳの増幅器／バッファステージとしても機能する。
【００１４】
図４では、ビデオ信号ＶＳは、２つのアンチパラレルに接続されたダイオードＤ１，Ｄ２を有する、コアリング回路Ｃに印加される。微分器Ｄは、キャパシタＣ１により形成されており、コアリング回路と直列に接続されている。第一のダイオードＤ１のカソードは、第二のダイオードＤ２のアノードに接続されている。低出力インピーダンスの電圧駆動を提供するためにバッファリングが必要である場合、第一のトランジスタＱ１及び抵抗Ｒ０を有するバッファステージを介して、コアリング回路Ｃに供給される。ダイオードＤ１，Ｄ２及びキャパシタＣ１からなる直列接続の出力は、第二のトランジスタＱ２のエミッタに接続される。
【００１５】
第二のトランジスタＱ２のエミッタは、グランドレベルとすることができる、基準電圧源Ｖ１に第三の抵抗Ｒ３を介して接続される。第一の抵抗Ｒ１は、第二のトラジスタＱ２のコレクタとベースの間に接続される。第二の抵抗Ｒ２及び第二のキャパシタＣ２は、第二のトランジスタＱ２のベースと第一の基準電圧源Ｖ１との間に並列に接続される。第二のトランジスタＱ２のコレクタは、第四の抵抗Ｒ４を介して第二の基準電圧源Ｖ２に接続される。別のキャパシタＣ３及び別のダイオード回路からなる直列接続は、第三のダイオードＤ３及び第四のダイオードＤ４を少なくとも含んでおり、第四の抵抗Ｒ４に並列に接続されている。第三のダイオードＤ３及び第四のダイオードＤ４は、アンチパラレルに接続される場合があり、これらダイオードＤ３，Ｄ４のうちの１つのアノードは、他のダイオードＤ４，Ｄ３のカソードに接続される場合がある。代替的に、それぞれのダイオードＤ３，Ｄ４は、２つのダイオードＤ３，Ｄ５；Ｄ４，Ｄ６を直列に接続することで実現される場合がある。更なる代替は、所望の電圧範囲に依存して、２つのツェナーダイオードＤ３，Ｄ４を使用することである。記載されたダイオード回路の組み合わせのように、なお更なる代替が可能である。第二のトランジスタＱ２のコレクタでは、コンバータ１４を駆動するために調整信号ＤＳが存在する。
【００１６】
ユニット１は以下のように動作する。ビデオ信号ＶＳの正の振幅で、順方向の電流は、第一のダイオードＤ１及びキャパシタＣ１を通して抵抗Ｒ３に流れる。ビデオ信号ＶＳが第一のダイオードＤ１及び第二のダイオードＤ２の順方向電圧の合計に等しい量だけ降下したとき、その後の負に向かう振幅の間、第一のトランジスタＱ１のエミッタから第二のダイオードＤ２及び第一のキャパシタＣ１を介してユニット１の入力に向かって逆の電流が流れ始める。次の正の振幅で、正の振幅が順方向の電圧の合計を再び超えるとき、順方向の電流は再び流れ始める。ダイオードは、約０．７Ｖの順方向の電圧を通常有しており、したがって、順方向電圧の合計は約１．４Ｖである。結果的に、基準値を超える少なくとも０．７Ｖであるか、又は基準値以下の少なくとも０．７Ｖである、ビデオ信号ＶＳの振幅のみが第二のトランジスタＱ２のエミッタに通過される。このように、所望のコアリングが得られる。キャパシタＣ１は、微分を提供するものであって、コアリング回路を介して一方の端子で低出力インピーダンスの電圧源からのビデオ信号ＶＳを受け、増幅器の低い入力インピーダンスの入力に接続される他方の端子を有している。
【００１７】
第二のトランジスタＱ２は、第一の抵抗Ｒ１、第二の抵抗Ｒ２及び第二のキャパシタＣ２を有するフィードバック構成をもつ増幅器として構成される。かかる構成は公知であり、更に説明されない。増幅器の出力信号の振幅は、第二のトランジスタＱ２のコレクタに存在しており、他のキャパシタＣ３、及びたとえば２つのアンチパラレルに接続されたダイオードＤ３，Ｄ４を有する他のダイオード回路からなる直列接続により制限される。この出力信号の振幅が２つのダイオードＤ３，Ｄ４のうちの関与する１つの順方向電圧を超える場合、このダイオードＤ３，Ｄ４は導通し始め、これにより、調整信号ＤＳである出力信号の更なる再帰を防止することができる。結果的に、２つのダイオードＤ３，Ｄ４は、リミッタ回路として作用し、２つのダイオードＤ３，Ｄ４の順方向電圧の合計に出力電圧スウィングを制限する。
【００１８】
先に例では、スウィングは約１．４Ｖである。より大きなスウィングが望まれる場合、図４に示されるように、２以上のダイオードを直列に接続することができる。代替的に、２つのダイオードは、所望のスウィングに対応するツェナー電圧を有するツェナーダイオードにより、ツェナーダイオードにより置き換えることができる。
【００１９】
なお、先に説明された実施の形態は、本発明を制限するよりはむしろ例示するものであって、当業者であれば、特許請求の範囲から逸脱することなしに、多くの代替的な実施の形態を設計することができる。請求項では、括弧間に配置される参照符号は、請求項を制限するものとして解釈されるものではない。動詞「有する」及び派生語の使用は、請求項で列挙された構成要素又はステップ以外の構成要素又はステップの存在を排除されるものではない。構成要素又はステップに先行する冠詞“ａ”又は“ａｎ”の使用は、複数のかかる構成要素又はステップの存在を排除するものではない。本発明は、幾つかの構成要素を有するハードウェアにより、及び適切にプログラムされたコンピュータにより実現することができる。幾つかの手段を列挙している装置の請求項では、これら幾つかの手段は、同一のハードウェアのアイテムにより実現することができる。所定の手段が相互に異なる独立の請求項で引用される事実は、これらの手段の組み合わせが使用することができることを示している。
【図面の簡単な説明】
【００２０】
【図１】従来技術に係る処理ユニットのブロック図である。
【図２】本発明に係る処理ユニットのブロック図である。
【図３】本発明に係る表示装置のブロック図である。
【図４】本発明に係る表示装置の一部に関する回路図である。
【図１】
2006516074.tif 000003
【図２】
2006516074.tif 000004
【図３】
2006516074.tif 000005
【図４】
2006516074.tif 000006